(57)【要約】【課題】  夜間や暗闇でペットを散歩させる際、車両のヘッドライトや照明器具の光を反射させ、さらには光の照射されない状態でも自然発光させることで、ペットの安全性を確保することができるペット用衣服を提供すること。【解決手段】  ペットに着衣させるペット用衣服において、かかるペット用衣服の布基材上に、蓄光部とアルミ箔部とを備えたことを特徴とする。また前記蓄光部は白色ペイント層と蓄光剤層とで形成される。また前記アルミ箔部に、ウエルダー加工により熱圧着される接着剤層を備えた。さらに前記布基材上に、蓄光部とグリッター部とを備えた。【選択図】      図１
2006280357.tif 000002
【特許請求の範囲】
【請求項１】
ペットに着衣させるペット用衣服において、かかるペット用衣服の布基材上に、蓄光部とアルミ箔部とを備えたことを特徴とするペット用衣服。
【請求項２】
前記蓄光部は白色ペイント層と蓄光剤層とで形成される請求項１記載のペット用衣服。
【請求項３】
前記アルミ箔部に、ウエルダー加工により熱圧着される接着剤層を備えた請求項１または２記載のペット用衣服。
【請求項４】
前記布基材上に、蓄光部とグリッター部とを備えた請求項１記載のペット用衣服。
【発明の詳細な説明】
【技術分野】
【０００１】  本発明は、夜間や暗闇において、ペットの安全性を確保することができるペット用衣服に関する。
【背景技術】
【０００２】  従来、愛玩用ペットである犬を散歩させる際、保温性とファッション性を高めるために衣服を着衣させている。かかる衣服は織布もしくは不織布等からなり、犬の背部と腹部等を覆う状態に加工裁断し形成していた。
また特に、犬を衣服の生地に通気性の良い素材を使用することで、熱のこもらないペット用衣服がある（例えば、特許文献１参照）。
上掲特許文献１には、ペットの胴体部分を覆う胴体被覆部と、前脚被覆部と、後脚被覆部とからなるペット用衣服が開示されており、かかるペット用衣服は、胴体被覆腹部部の背面部分に通風孔となるメッシュ体と、メッシュ体を覆うカバー部とを備えて構成され、カバー部は、胴体被覆部に対して開閉自在に取り付けられている。
【特許文献１】特開２００４−７３０２０号公報（第１頁、図１）
【発明の開示】
【発明が解決しようとする課題】
【０００３】  しかしながら、特許文献１のペット用衣服においては、衣服を装着させた状態で夜間時に散歩させる場合、歩行者や自転車、また走行中の車両からペットの存在が視認されにくく、接触事故等の問題が多発するという欠点があった。【０００４】  そこで本発明は上記の点に鑑み、夜間や暗闇でペットを散歩させる際、車両のヘッドライトや照明器具の光を反射させ、さらには光の照射されない状態でも自然発光させることで、ペットの安全性を確保することができるペット用衣服を提供することにある。
【課題を解決するための手段】
【０００５】  上記課題を解決するために、本発明のペット用衣服は、ペットに着衣させるペット用衣服において、かかるペット用衣服の布基材上に、蓄光部とアルミ箔部とを備えたことを特徴とする。また前記蓄光部は白色ペイント層と蓄光剤層とで形成される。また前記アルミ箔部に、ウエルダー加工により熱圧着される接着剤層を備えた。さらに前記布基材上に、蓄光部とグリッター部とを備えた。
【発明の効果】
【０００６】  ペットに着衣させるペット用衣服の布基材上に蓄光部を備えることで、太陽光や照明器具からの照射光を蓄光し暗闇で自然発光することができる。また、アルミ箔部にて車両のヘッドライトや照明器具の光を反射させることができる。そのため、夜間におけるペットの散歩の安全性を確保することができる。また前記蓄光部は白色ペイント層と蓄光剤層とで形成されているため、蓄光剤の輝度を一層高めることができる。またアルミ箔部に、ウエルダー加工により熱圧着される接着剤層を備えることで、作業工程を簡便化しコスト削減も実現できる。さらに、布基材上に蓄光部とグリッター部とを備えたことで、布基材の材質により熱圧着ができない場合でも、グリッター部にて反射効果を発揮させることができる。
【発明を実施するための最良の手段】
【０００７】  以下、本発明におけるペット用衣服の実施の形態を図面に基づいて説明する。
図１は、本発明のペット用衣服の拡大断面図を示すもので、かかるペット用衣服１は、衣服を形成する布基材２上に、蓄光部３とアルミ箔部６とを備えることにより形成されている。
【０００８】  前記蓄光部３に使用される蓄光剤は、光を蓄え自然発光が可能な素材、例えば、アルミン酸ストロンチューム系の素材が挙げられる。またその他、周知の金属化合物や希土類を複数混合させ、汎用の展色剤を混合して生成するものを使用してもよい。なお、前記蓄光剤に混入させる接着剤としては、身体の安全性を考慮した場合、ホルマリンを使用していない接着剤を用いることが好ましい。
【０００９】  前記蓄光剤は、日中の太陽光や照明器具からの光を蓄光し、暗闇において蓄光部２全体から蛍光色を自然発光させることができる。そのため、夜間にペットを散歩させる際、歩行者や自転車、また走行中の車両に明確に認識できて安全性を高めることができる。
【００１０】  アルミ箔部６は、アルミニウムを圧延し薄紙のように伸ばしたアルミ箔６からなり、夜間において、車両のヘッドライトや照明器具の照射光をキラキラと反射させることができ、その存在を明確に目認することができる。
【００１１】  また、他の好適例として、前記蓄光部３を白色ペイント層５と蓄光剤層４とで形成することが好ましい。前記白色ペイント層５は蓄光剤層４の下面に配設されるもので、白色を有する素材であれば特に限定はされない。前記白色ペイント層５を配設したことで、蓄光剤層４の発光輝度を一層高めることができる。
【００１２】  また、前記アルミ箔部６は布基材２上にウエルダー加工により熱圧着されている。かかるアルミ箔部６のアルミ箔７下面には、熱を加えることより溶融される接着剤層８が備えられている。そのことにより、前記アルミ箔７の上面よりアイロン等を利用して押圧することで接着剤層８が溶融し、布基材２上に容易に、且つ強靭に接着させることができ、作業性が簡便化されコスト削減も実現できる。
【００１３】  また、他の好適例として、図２に示すように、前記布基材２上に前記蓄光部３とグリッター部９とを備えた。前期グリッター部９は、外部からの光をキラキラ輝く状態で反射させる特徴を有するグリッター１０と、かかるグリッター１０の下部に設けられた接着剤１１とで構成されている。前記グリッター１０は反射効率の高い素材であれば、材質や種類等は特に限定されるものではない。前記グリッター部９とを備えたことで、布基材２の材質により熱圧着ができない場合でも、グリッター部９を粘着させることができて反射効果を発揮させることができる。
【００１４】  次に、図３及び図４に基づいて、本発明のペット用衣服の詳細を説明する。
図３はペット用衣服１の側面図を、図４は上面図を表す。ペット用衣服１は織布もしくは不織布からなり、ペットＡの背部から胴体部にかけて覆われている。またペット用衣服１の背部から腹部には、蓄光部３とアルミ箔部６もしくはグリッター部９が設けられている。なお、前記蓄光部３とアルミ箔部６もしくはグリッター部９をペット用衣服１に設置する箇所や数量等は特に限定されたものではなく、外部からの認識力が高い部分であれば、如何なる箇所であってもよい。
【００１５】  前記ペット用衣服１の任意箇所に前記蓄光部３とアルミ箔部６もしくはグリッター部９を設置することで、図５に示すように、蓄光剤層４により日中の太陽光や照明器具からの光を蓄光し、暗闇において蓄光部３全体から蛍光色を自然発光させることができる。またアルミ箔部６もしくはグリッター部９においては、夜間、車両のヘッドライトや照明器具の照射光をキラキラと反射させることができ、その存在を明確に目認することができる。そのことにより、夜間におけるペット散歩の安全性を確保することができる。
【図面の簡単な説明】
【００１６】
【図１】本発明におけるペット用衣服の拡大断面図である。
【図２】他の好適例を示すペット用衣服の拡大断面図である。
【図３】ペット用衣服の側面図を表す。
【図４】ペット用衣服の上面図を表す。
【図５】ペット用衣服の使用状態である。
【符号の説明】
【００１７】１    ペット用衣服
２    布基材
３    蓄光部
４    蓄光剤層
５    白色ペイント層
６    アルミ箔部
７    アルミ箔
８    接着剤層
９    グリッター部
１０  グリッター
１１  接着剤
Ａ    ペット
【図１】
2006280357.tif 000003
【図２】
2006280357.tif 000004
【図３】
2006280357.tif 000005
【図４】
2006280357.tif 000006
【図５】
2006280357.tif 000007